(57)【要約】【課題】取り付けの安定性を向上させた放電ランプを提供する。【解決手段】基準面を有するランプホルダーに挿入される、その一端に固定用口金２０を有する放電ランプである。この固定用口金は、円筒の外周に形成された一対の第１の非円形部２１Ｈを有する第１部分２１と、円筒の外周に形成された接合部を兼ねる一対の第２の非円形部２３Ｈを有する第２部分２３と、一対の第１の切欠部の間隔以下の直径であり、第１部分と第２部分との間に外周に沿って形成された溝部２５とを備え、一対の第１の切欠部の間隔は一対の第２の切欠部の間隔以下であり、かつ第１部分の直径は、第２部分の直径以下であり、溝部の第１部分側に形成された軸方向端面２１Ｂが、基準面に接合して固定される。【選択図】図２
2012169230.tif 000002
【特許請求の範囲】
【請求項１】
基準面を有するランプホルダーに挿入される一端に固定用口金を有する放電ランプであって、前記固定用口金は、円筒の外周に形成された一対の第１の切欠部を有する第１部分と、円筒の外周に形成された接合部を兼ねる一対の第２の切欠部を有する第２部分と、前記一対の第１の切欠部の間隔以下の直径であり、前記第１部分と前記第２部分との間に外周に沿って形成された溝部とを備え、前記一対の第１の切欠部の間隔は、前記一対の第２の切欠部の間隔以下であり、かつ、前記第１部分の直径は、前記第２部分の直径以下であり、前記溝部の前記第１部分側に形成された軸方向端面が、前記基準面に接合して固定されることを特徴とする放電ランプ。
【発明の詳細な説明】
【技術分野】
【０００１】
本発明は、紫外線を放射するための放電ランプに関する。
【背景技術】
【０００２】
塗料を硬化させたり、半導体ウエハもしくはガラス基板等の表面を改質させたりするために、放電ランプを用いて被処理対象物に紫外線を照射することが行われている。このような放電ランプを有する光源装置は、例えば、特許文献１に記載された発明では、放電ランプから放射された光を、楕円集光ミラーなどのミラーによって反射、集光した後、出射口に導光し、出射口に接続されている光ファイバー束などの導光手段（ライトガイド）によって外部に照射している。
【０００３】
このような光源装置のハウジング内において、放電ランプの固定用口金は、楕円集光ミラーが周囲に設けられたランプホルダーに取り付けられる。放電ランプがランプホルダーの適正な位置に取り付けられると、放電ランプの輝点が楕円集光ミラーの第１焦点に合致するようになっている。そして、楕円集光ミラーの第２焦点の出射口に取り付けられた光ファイバー束が配置されるようになっている。このように構成することで、放電ランプの輝点より放射した光を効率よく、光ファイバー束の出射端へ導光することができる。
【先行技術文献】
【特許文献】
【０００４】
【特許文献１】実用新案登録第３１２４４４４号
【発明の概要】
【発明が解決しようとする課題】
【０００５】
しかしながら、操作者が放電ランプを交換する際に、上記放電ランプの固定用口金をランプホルダーに十分に差し込まないまま、クランプネジを締め付けてしまうことがある。
ランプホルダーに十分に差し込まない状態であっても、口金に電源を投入すれば放電ランプが点灯する。しかし、このような場合、放電ランプの輝点が楕円集光ミラーの第１焦点にないために、光ファイバー束の出射端において照度が足りないことになる。
【０００６】
そこで本発明は、操作者が、放電ランプの輝点の位置が楕円集光ミラーの第１焦点位置に来るように放電ランプを取り付けない限り、放電ランプをランプホルダーにクランプすることができないようにした放電ランプを提供することを目的とする。
【課題を解決するための手段】
【０００７】
本発明の放電ランプは、基準面を有するランプホルダーに挿入される、その一端に固定用口金を有する放電ランプである。その固定用口金は、円筒の外周に形成された第１部分と、円筒の外周に形成された第２部分と、第１部分と第２部分との間に外周に沿って形成された溝部とを備える。そして、溝部の第１部分側に形成された軸方向端面が基準面に接合して固定される。
【０００８】
この放電ランプは、放電ランプの輝点の位置が楕円集光ミラーの第１焦点位置に来るように、ランプホルダーに対して正確に固定される。
【発明の効果】
【０００９】
本発明によれば、放電ランプをランプホルダーに正確な位置精度で固定することができるため、作業位置における照度不足を回避できる。
【図面の簡単な説明】
【００１０】
【図１】（ａ）は本発明を具体化した放電ランプの斜視図。（ｂ）は同じく平面図。（ｃ）は（ｂ）中におけるＣ−Ｃ線断面図。
【図２】（ａ）は図１の放電ランプの主として固定用口金を拡大して示す部分斜視図。（ｂ）は同固定用口金の平面図。（ｃ）は同じく正面図。（ｅ）は同じく右側面図。（ｄ）は放電ランプの左側面図。（ｆ）は（ｃ）中のＡ−Ａ線における拡大断面図。（ｇ）は（ｃ）中のＢ−Ｂ線における拡大断面図。
【図３】（ａ）〜（ｃ）は放電ランプをランプホルダーに装着する場合の動作を順に示す断面図。
【図４】（ａ）〜（ｈ）は固定用口金の第１部分及び第２部分のバリエーション形状の輪郭をそれぞれ示す右側面図。
【図５】（ａ）は固定用口金の正面図。（ｂ）〜（ｄ）は固定用口金の第１部分のバリエーションを示す右側面図。
【図６】（ａ）は固定用口金の第１部分の形状を変化させた例を示す正面図。（ｂ）は（ａ）の固定用口金の右側面図。（ｃ）〜（ｅ）は第１部分に設けられた孔あるいは凹部をそれぞれ示す部分拡大断面図。
【図７】（ａ）は固定用口金の第１部分の形状を変化させた例を示す平面図。（ｂ）は同固定用口金の正面図。（ｃ）は同じく右側面図。
【図８】（ａ）は固定用口金の第１部分の形状を変化させた例を示す平面図。（ｂ）は同固定用口金の正面図。（ｃ）は同じく右側面図。（ｄ）及び（ｅ）は第１部分の面取り加工について異なった形状をそれぞれ示す部分正面図。
【図９】（ａ）〜（ｃ）は固定用口金の第１部分の形状をそれぞれ示す右側面図。
【図１０】（ａ）は固定用口金の第１部分の形状を変化させた例を示す平面図。（ｂ）は同固定用口金の正面図。（ｃ）は（ｂ）中のＣ−Ｃ線における拡大断面図。
【図１１】（ａ）は固定用口金の第１部分の形状を変化させた例を示す平面図。（ｂ）は同固定用口金の正面図。（ｃ）は（ｂ）中のＤ−Ｄ線における拡大断面図。
【図１２】（ａ）は固定用口金の第１部分の形状を変化させた例を示す正面図。（ｂ）は同固定用口金の右側面図。（ｃ）は同固定用口金の斜視図。
【図１３】（ａ）は固定用口金の第１部分の形状を変化させた例を示す平面図。（ｂ）は同固定用口金の右側面図。
【図１４】（ａ）は固定用口金の第１部分の形状を変化させた例を示す平面図。（ｂ）は同固定用口金の右側面図。
【図１５】固定用口金の第１部分の形状を変化させた例を示す平面図。
【図１６】（ａ）は固定用口金の第１部分の形状を変化させた例を示す平面図。（ｂ）は同固定用口金の正面図。（ｃ）は同固定用口金の右側面図。
【図１７】（ａ），（ｃ）〜（ｇ），（ｉ）（ｊ）は固定用口金の第１部分の形状を変化させた例を示すそれぞれ示す平面図。（ｂ）は（ａ）の固定用口金の正面図。（ｈ）は（ｇ）の固定用口金の右側面図。
【図１８】（ａ）は固定用口金の第１部分の形状を変化させた例を示す平面図。（ｂ）は同固定用口金の正面図。（ｃ）は同固定用口金の右側面図。
【図１９】（ａ）は固定用口金の第１部分の形状を変化させた例を示す斜視図。（ｂ）及び（ｄ）は第１部分２１の形状をそれぞれ示す部分斜視図。（ｃ）及び（ｅ）は同第１部分２１の断面図。（ｆ）は第１部分２１の平面図。
【図２０】（ａ）は固定用口金の第１部分の形状を変化させた例を示す平面図。（ｂ）は同固定用口金の右側面図。
【図２１】（ａ）は固定用口金の第１部分の形状を変化させた例を示す平面図。（ｂ）は同固定用口金の右側面図。
【図２２】（ａ）〜（ｃ）は固定用口金の第１部分の形状を変化させた例をそれぞれ示す右側面図。
【図２３】（ａ）〜（ｅ）は同じく固定用口金の第１部分の形状を変化させた例をそれぞれ示す右側面図。
【図２４】（ａ）は固定用口金から第１部分と第２部分をなくし、溝部の底面を含むベース部のみの形状を示す正面図。（ｂ）は同形状構成の右側面図。（ｃ）は同形状構成の左側面図。
【図２５】（ａ）は固定用口金から第１部分と第２部分をなくし、溝部の底面を含むベース部のみの形状を示す正面図。（ｂ）は同形状構成の拡大右側面図。
【図２６】（ａ）は固定用口金から第１部分と第２部分をなくし、溝部を含むベース部のみの形状を変化させた例を示す右側面図。（ｂ）及び（ｃ）はベース部の異なる形状をそれぞれ示す正面図。
【図２７】（ａ）は固定用口金から第１部分と第２部分をなくし、溝部の底面を含むベース部のみの形状を変化させた例を示す正面図。（ｂ）は同ベース部の右側面図。（ｃ）及び（ｄ）はベース部の形状を変化させた例をそれぞれ示す右側面図。
【図２８】（ａ）は固定用口金の第２部分の形状を変化させた例を示す平面図。（ｂ）は同固定用口金の正面図。（ｃ）は同固定用口金の右側面図。（ｄ）は（ｂ）中のＥ−Ｅ線における拡大断面図。
【図２９】（ａ）は固定用口金の第２部分下をなくし、第２部分上のみの形状を変化させた例を示す平面図。（ｂ）は同固定用口金の正面図。（ｃ）は同固定用口金の右側面図。（ｄ）は（ｂ）中のＦ−Ｆ線における拡大断面図。
【図３０】（ａ）は固定用口金の第２部分下をなくし、第２部分上のみの形状を変化させた例を示す平面図。（ｂ）は同固定用口金の正面図。（ｃ）は同固定用口金の右側面図。（ｄ）は（ｂ）中のＧ−Ｇ線における拡大断面図。
【図３１】（ａ）は固定用口金の第２部分下をなくし、第２部分上のみの形状を変化させた例を示す平面図。（ｂ）は同固定用口金の正面図。（ｃ）は同固定用口金の右側面図。（ｄ）は（ｂ）中のＨ−Ｈ線における拡大断面図。
【図３２】（ａ）〜（ｆ）は固定用口金の第２部分の形状を変化させたバリエーションをそれぞれ示す断面図。
【図３３】（ａ）は固定用口金の第２部分上をなくし、第２部分下のみの形状を変化させた例を示す平面図。（ｂ）は同固定用口金の正面図。（ｃ）は同固定用口金の右側面図。（ｄ）は（ｂ）中のＩ−Ｉ線における拡大断面図。
【図３４】固定用口金の第２部分の形状を変化させた例を示す図３３（ｄ）に相当する断面図。
【図３５】（ａ）〜（ｄ）は固定用口金の第２部分の形状をそれぞれ変化させた例を示す図３３（ｄ）に相当する断面図。
【図３６】（ａ）〜（ｆ）は固定用口金の第２部分の形状を変化させた例をそれぞれ示す図３３（ｄ）に相当する断面図。
【図３７】（ａ）〜（ｆ）は固定用口金の第２部分の形状のバリエーションをそれぞれ示す図３３（ｄ）に相当する断面図。
【図３８】（ａ）〜（ｇ）は固定用口金の形状のバリエーションをそれぞれ示す斜視図。
【図３９】（ａ）〜（ｆ）は固定用口金の形状のバリエーションをそれぞれ示す斜視図。
【図４０】各部分の構成が描かれた図を示すマトリクス。
【発明を実施するための形態】
【００１１】
以下、本発明を具体化した放電ランプの一実施形態を図面に基づいて説明する。なお、図面において、破線は意匠としての要部を構成しない線を示す。
また、図中に表れる１点鎖線は中間省略を表しており、図面中省略した部分は図面上５．２センチメートルである。
【００１２】
図１（ａ）〜（ｃ）に示すように、放電ランプ１０は、その一端に固定用口金２０を有している。この放電ランプ１０は、例えば水銀キセノンランプや、超高圧水銀ランプを採用することができ、紫外線を含む光を照射する。
【００１３】
図２（ａ）〜（ｇ）に示すように、前記固定用口金２０は、略板状の第１部分２１と、短胴状の第２部分２３と、第１部分２１と第２部分２３との間に形成された円形周面の溝部２５とを有する。固定用口金２０の中心軸に形成された開口２９には放電ランプ１０のステムが挿入されており、この状態でステムと開口２９とがセラミック接着剤等で固定されている。第１部分２１には平面状にカットされた一対の非円形部２１Ｈが、固定用口金２０の軸対称位置に形成されている。第２部分２３には平面状にカットされた切欠部としての一対の非円形部２３Ｈが、固定用口金２０の軸対称位置に形成されている。図２において底面図は平面図と対称に、背面図は正面図と対称に表れる。
【００１４】
前記溝部２５は前記第１部分２１と第２部分２３との間に形成されている。第１部分２１における溝部２５側の端面には、基準面２１Ｂが形成されている。第２部分２３における溝部２５側の端面には、挿入停止用のストッパ面２３Ｅが形成されている。
【００１５】
そして、前記第１部分２１の円領域の直径は、第２部分２３の円領域の直径よりも小さくなっている。溝部２５の直径は、第１部分２１の円領域の直径と同じあるいは同直径より小さくなっている。溝部２５の直径は、第１部分２１に形成された一対の非円形部２１Ｈ間の間隔と同じになっている。第２部分２３に形成された一対の非円形部２３Ｈ間の間隔は、第１部分２１に形成された一対の非円形部２１Ｈ間の間隔よりも大きくなっている。
【００１６】
図３（ａ）〜（ｃ）に示すように、前記ランプホルダー５０には、前記固定用口金２０における第２部分２３のストッパ面２３Ｅ及び第１部分２１の基準面２１Ｂに当接可能なフランジ部５１が設けられている。
【００１７】
そして、放電ランプ１０をランプホルダー５０に装着する際には、図３（ａ）に示すように、放電ランプ１０の固定用口金２０を上にした状態で、固定用口金２０をランプホルダー５０の挿入部５０Ｈに挿入する。このようにすると、図３（ｂ）に示すように、第２部分２３上のストッパ面２３Ｅがランプホルダー５０のフランジ部５１の下面に当接して、放電ランプ１０の挿入位置が規制される。その後、放電ランプ１０を自身の軸線の周りで９０度回転させると、第２部分２３下がランプホルダー内のリング５６を回転させ、リング５６が９０度回転すると、図示しないクリック機構によりその９０度回転位置において作業者にクリック感が付与される。そして、図３（ｃ）に示すように、第１部分２１の基準面２１Ｂがランプホルダー５０のフランジ部５１の上面に係合するとともに、第２部分２３下の下面がランプホルダー５０の段差上面５５に支持されて、放電ランプ１０がランプホルダー５０に対して基準位置に規制保持される。この状態で、ランプホルダー５０に設けられた図示しないクランプネジを締め付けることにより、固定用口金２０がランプホルダー５０に固定される。従って、放電ランプ１０をランプホルダー５０に対して正確に固定することができる。
【００１８】
（変更例）
図４（ａ）〜（ｈ）は、第１部分２１及び第２部分２３の輪郭形状を表している。これらの輪郭形状のみが図１〜図２の実施形態と異なる。図４（ａ）〜（ｈ）において、第１部分２１及び第２部分２３は、同第１部分２１及び第２部分２３が軸線と直交する方向に切断された場合、その厚さ方向（図２（ｂ）の左右方向）のどの位置においても同形状である。
【００１９】
図５（ａ）〜（ｄ）において、背面図、平面図、底面図、左側面図は図１〜図３の実施形態と同じに表れる。
図６〜図８において、左側面図は図１〜図２の実施形態と同じに表れる。背面図は図６〜図８の各図の正面図と対称に表れる。図６〜図８の平面図と底面図は同一に表れる。この図６〜図８の構成は、第１部分２１の構成を除いて図１〜図２の実施形態と同じ形状である。
【００２０】
図９（ａ）〜（ｃ）は、第１部分２１及び第２部分２３の形状を表している。第２部分２３の形状は図１〜図２の実施形態と同じである。また、第２部分２３を軸線と直交する方向に切断した場合、その厚さ方向（図１（ｂ）の左右方向）のどの位置においても同形状である。
【００２１】
図１０（ａ）〜（ｃ）の構成及び図１１（ａ）〜（ｃ）の構成は、右側面図及び左側面図が図１〜図２の構成の左側面図及び右側面図と同じに表れる。背面図及び底面図はそれぞれ図１０及び図１１の正面図及び平面図と対称に表れる。この図１０（ａ）〜（ｃ）及び図１１（ａ）〜（ｃ）の構成は、第１部分２１の構成を除いて図１〜図２の実施形態と同じ形状である。
【００２２】
図１２〜図１７の構成において、左側面図が図１〜図２の構成の左側面図と同じに表れる。この図１２〜図１７の構成は、第１部分の構成を除いて図１〜図２の実施形態と同形状である。図１２〜図１７において、平面図と底面図は図１７（ｇ）を除き同一に表れる。図１７（ｇ）は、平面図と底面図は対称に表れる。図１５，図１７の各図において、第１部分２１の高さは第２部分２３の外周面の高さと同じかあるいはその高さより低く、かつ第１部分の上端面は第２部分２３の周面と同じ曲率の円弧で、右側面図において両上端面の円弧が重なるように形成されている。図１７（ｉ）において第１部分２１の半円状の凹部２１ｉは第１部分の外周面と同心円であって、第１部分２１の高さと同じ高さである。
【００２３】
図１８〜図２０の構成において、左側面図が図１〜図２の構成の左側面図と同じに表れる。この図１８〜図２０の構成は、第１部分２１の構成を除いて図１〜図２の実施形態と同様である。図１８〜図２０において、背面図は正面図と対称に表れ、平面図と底面図は同一に表れる。図１９において、第１部分２１は、一般的なネジの頭でもよく、この場合は、図１９（ｆ）に示すように、短円柱状の第１部分２１の上面に六角孔が形成される。
【００２４】
図２１の構成において、左側面図が図１〜図２の構成の左側面図と同じに表れる。この図２１の構成は、第１部分２１を除いて図１〜図２の実施形態と同形状である。図２１において、平面図と底面図は同一に表れる。
【００２５】
図２２及び図２３においては、第１部分２１及び第２部分２３の形状を表している。図２２及び図２３の構成において、左側面図が図１〜図２の構成の左側面図と同じに表れる。この図２２〜図２３の構成は、第１部分２１の構成を除いて図１〜図２の構成と同形状であって、第１部分２１の厚さは図１〜２の構成と同じである。第２部分２３の形状は図１〜図２の実施形態と同じである。また、第２部分２３を軸線と直交する方向に切断した場合、同第２部分２３はその厚さ方向（図１（ｂ）の左右方向）のどの位置においても同形状である。
【００２６】
図２４〜図２７は、固定用口金２０のベース形状（ベース部２０Ｂとする）を表している。ここで、ベース部とは、第１部分２１及び第２部分をなくし、溝部２５の底面が含まれる面を有する構成を指す。図２６（ｃ）、図２７（ｃ）を除き、正面図と背面図は対称に表れるとともに、正面図と平面図、底面図は同一に表れる。図２４（ａ）における網線は、溝部２５の範囲を示す。図２６（ａ）において、ベース部２０Ｂは略八角柱状をなしている。図２６における孔２０１は、ベース部２０Ｂの外周に等間隔をおいて４箇所に形成されており、その孔２０１は、断面半円状である。図２６（ｃ）は、略円柱状をなすベース部にらせん状溝が設けられている。図２７（ｂ）（ｃ）は、略円柱状をなすベース部に溝が設けられている。図２７（ｄ）は、略円柱状をなすベース部にフラットな面２０５が設けられている。
【００２７】
図２８〜図３２は、第２部分２３上（図２８（ａ）（ｂ）の右側の網掛け部）における形状のバリエーションを示している。
図２８において、底面図は平面図と同一に表れ、背面図は正面図と対称に表れる。図２８（ａ）及び（ｂ）における網線は第２部分２３上の範囲を示す。
【００２８】
図２９〜図３１においては、固定用口金２０の第２部分２３下をなくし、第２部分２３上のみを変化させた形状を表している。図２９において、底面図は平面図と同一に表れ、背面図は正面図と対称に表れる。
【００２９】
図２９〜図３２において、第２部分２３を除いた他の部分は図１，図２の実施形態と同形状である。
図３０において、底面図は平面図と同一に表れ、背面図は正面図と対称に表れる。図３１において、底面図は平面図と同一に表れ、背面図は正面図と対称に表れる。
【００３０】
図３２において、各図（ａ）〜（ｆ）は、図２８の第２部分２３の変更例であって、図３１の構成に対して、第２部分２３の形状のみが異なっており、その他の構成の形状は図１，図２の構成と同じである。
【００３１】
図３３〜図３７においては、固定用口金２０の第２部分２３上をなくし、第２部分２３下のみを変化させた形状を表している。
図３３〜図３７は、第２部分２３下(図３３（ａ）（ｂ）の左側の網掛け部)における形状のバリエーションを示している。
【００３２】
図３３において、ベース部２０Ｂ及び第２部分２３を除いた部分の形状は、図１，図２の実施形態と同形状である。
図３３において、底面図は平面図と同一に表れ、背面図は正面図と対称に表れる。
【００３３】
図３４〜図３７の構成は、図３３の第２部分２３の変更例であって、図３３の構成に対して、第２部分２３の形状のみが異なっており、その他の構成の形状は図１，図２の構成と同じである。図３４の構成において、２点鎖線で示すように、第２部分２３を幅狭にするための一対の非円形部２３Ｈを形成することもできる。あるいは、図３４の構成と、図１９に示す第１部分２１の構成とを組み合わせることもできる。
【００３４】
図３８及び図３９は、前述した各形状（第１部分、溝部、ベース部、第２部分上、第２部分下）の構成を組み合わせた例を示している。図３８（ａ）は、図１〜図２の構成に対して第１部分２１を図５（ａ）（ｂ）のものに置き換えている。図３８（ｂ）は、図１，図２の構成に対して、図５（ａ）（ｂ）のものに置き換えるとともに、第２部分２３を図３６（ｆ）のものに置き換えている。図３８（ｃ）は、図１，図２の構成に対して、第１部分２１を図１４（ａ）（ｂ）のものに置き換えるとともに、第２部分２３を図３２（ｆ）のものに置き換えている。図３８（ｄ）は、図１，２の構成に対して、第１部分２１を図２２（ｃ）のものに置き換えるとともに、第２部分２３を図３２（ｄ）のものに置き換えている。図３８（ｅ）は、図１，図２の構成に対して、第１部分２１を図２３（ｅ）に、第２部分２３を図３２（ｄ）のものに置き換えて組み合わせている。図３８（ｆ）は、図１，図２の構成に対して、第１部分２１を図２３（ａ）のものに、第２部分２３を図３７（ａ）のものに置き換えている。図３８（ｇ）は、図１，図２の構成に対して、第１部分２１を図２０（ａ）（ｂ）のものに、ベース部を図２７（ａ）（ｂ）のものに、第２部分２３を図３７（ｆ）のものに置き換えている。図３９（ａ）は、図１，図２の構成に対して、第２部分２３上を図２９（ａ）〜（ｄ）のものに、第２部分２３下を図３５（ａ）のものに置き換えている。図３９（ｂ）は、図３９（ｂ）は図１，図２の構成に対して、第２部分２３の上下を図３２（ａ）のものに置き換えている。図３９（ｃ）は、図１，図２の構成に対して、第２部分２３上を図２９（ａ）〜（ｄ）のものに、第２部分２３下を図３３（ａ）〜（ｄ）のものに置き換えている。図３９（ｄ）は、図１，図２の構成に対して、第１部分２１を図４（ｇ）のものに、第２部分２３を図３１（ａ）〜（ｄ）のものに置き換えている。図３９（ｅ）は、図１，図２の構成に対して、第１部分２１を図４（ｇ）のものに、第２部分２３を図３６（ｄ）のものに置き換えている。図３９（ｆ）は、図１，図２の構成に対して、第１部分２１を図４（ｇ）のものに、第２部分２３の上を図２９（ａ）〜（ｄ）のものに、第２部分２３の下を図３２（ｄ）に置き換えている。
【００３５】
次に、前記のように構成された放電ランプ１０における固定用口金２０の形状の各種の態様を、図４〜図４０に従って説明する。
まず、第１部分２１についてバリエーションを説明する。
【００３６】
図４〜図２３には、固定用口金２０の第１部分２１の各種形状の構成が示されている。図２４〜図２７には、固定用口金２０の溝部２５あるいは口金のベース部の各種形状の構成が示されている。図２８〜図３２には、口金の第２部分２３上の各種形状の構成が、図３３〜図３７には、口金の第２部分２３下の各種形状の構成が示されている。図３８及び図３９には、固定用口金２０の第１部分２１、溝部２５、ベース部２０Ｂ及び第２部分２３上下の組み合わせによる各種形状の構成が示されている。
【００３７】
図４（ａ）には、前述した図１〜図２の実施形態における基本形状の第１部分２１が示されている。同図（ｂ）の構成では、第１部分２１の周面に複数の三角形状の凹部２１１が形成されている。同図（ｃ）の構成では、第１部分２１の周面に２条の切欠溝２１２が形成されている。同図（ｄ）の構成では、第１部分２１の両非円形部２１Ｈに円弧凹面２１３が形成されている。同図（ｅ）の構成では、第１部分２１の両非円形部２１Ｈのひとつの対角位置に円弧凹面２１４が形成されている。同図（ｆ）の構成では、第１部分２１の両非円形部２１Ｈの対角位置に傾斜面２１６が形成されている。同図（ｇ）の構成では、第１部分２１の両非円形部２１Ｈの一方の対角位置に円弧凹面２１７が形成されるとともに、他方の対角位置に円弧凸面２１８が形成されている。同図（ｈ）の構成では、第１部分２１の両非円形部２１Ｈの両端縁に傾斜面２１０が切欠き形成されている。同図（ｄ），（ｅ），（ｇ）の構成では第２部分２３にその両非円形部２３Ｈの厚さ方向に延び、その厚さと同じ長さの溝部２３１が形成されている。
【００３８】
図５（ａ）及び（ｂ）の構成では、第１部分２１の全体が側面楕円形状をなすように形成されている。同図（ｃ）の構成では、第１部分２１の両非円形部２１Ｈが円弧凸面状に形成されている。同図（ｄ）の構成では、第１部分２１の両非円形部２１Ｈが、同図（ｃ）の場合よりも曲率半径の小さい円弧凸面状に形成されている。
【００３９】
図６（ａ）及び（ｂ）の構成では、第１部分２１の全体が前記図５（ａ）及び（ｂ）の構成と同様な側面楕円形状になるとともに、それよりも軸線方向の板厚が薄くなるように形成されている。第1部分２１には孔（凹状のものも含む）６１を１つ以上設けてもよい。孔６１の形状は丸でなくてもよい。四角でも三角でもよい。また、第１部分２１には、同図（ｃ）に示すような貫通孔、同図（ｄ）に示すような半球状の凹部、または同図（ｅ）に示すような断面四角形状の凹部よりなる孔６１が形成されてもよい。
【００４０】
図７（ａ）〜（ｃ）の構成では、第１部分２１が前記図６（ａ）及び（ｂ）の構成と同様に薄板状に形成されている。そして、第１部分２１の両長径部の外周面には、側面三角形の凹部２１１が形成されている。
【００４１】
図８（ａ）〜（ｅ）の構成では、第１部分２１が前記図５（ａ）及び（ｂ）の構成と同様な側面楕円形状になるとともに、それよりも軸線方向の板厚が厚くなるように形成されている。そして、第１部分２１の両長径部の外周面には、側面四角形の２条の凹溝２１１２が形成されている。この場合、厚板状の第１部分２１は、同図（ｄ）及び（ｅ）に示すように面取り加工を施してもよい。すなわち、同図（ａ）において、第１部分２１の表裏両面側に面取り２１１３が形成されてもよいし、第１部分２１の表面側(右側面側)に円弧２１１４が形成されてもよい。図８（ｂ）に示すように、前記凹部２１１（図７（ｃ）参照）や凹溝２１１２の有無に関わらず、第１部分２１の厚さを任意に変更することができる。
【００４２】
図９（ａ）の構成では、図１〜図２に示す実施形態と同じ厚さの第１部分２１が側面ほぼ楕円形状に形成されるとともに、その長径部の両側に直線状の傾斜面２１１５が形成されている。同図（ｂ）の構成では、同図（ａ）の形状の構成において長径部の半分の対角位置に切除部２１１６が形成されている。同図（ｃ）の構成では、同図（ａ）の形状の構成に比較して長径部の曲率半径が小さくなるように形成されるとともに、短い傾斜面２１１５が形成されている。
【００４３】
図１０（ａ）〜（ｃ）の構成では、第１部分２１の内面に一対の突条部２１１７が互いに平行に延びるように形成されている。図１１（ａ）〜（ｃ）の構成では、第１部分２１の内面に一対の突条部２１１８が形成されている。
【００４４】
図９〜図２３において、固定用口金２０は、第１部分２１と第２部分２３以外の部分はベース部２０Ｂによって形成されている。第１部分２１の第２部分２３側は前記ランプホルダー５０のフランジ部５１に接する部分以外の部分を肉盗みしてもよい。
【００４５】
図１２（ａ）〜（ｃ）の構成では、第１部分２１が固定用口金２０のベース部２０Ｂの外周面に突設された所定幅のほぼ四角ブロック状の一対の突片から構成されている。図１３（ａ）及び（ｂ）の構成では、突片の幅が図１２（ａ）〜（ｃ）の場合よりも狭くなるように形成されている。図１４（ａ）及び（ｂ）の構成では、図１２（ａ）〜（ｃ）の場合と比較して、突片の幅が広くなるとともに厚さが薄くなるように形成されている。図１５の構成では、第１部分２１を構成する突片が平面半円形となるように形成されている。図１６（ａ）〜（ｃ）の構成では、突片が正面三角形となるように形成されている。図１３の２１は四角柱でなく、例えば図１５のようにかまぼこ状でもよい。
【００４６】
図１７（ａ）の構成では、第１部分２１を構成する突片が平面三角形となるように形成されている。同図（ｂ）は図１７（ａ）の正面図である。同図（ｃ）の構成では、突片が平面Ｉ字形となるように形成されている。同図（ｄ）の構成では、突片が菱形に近い平面平行四辺形となるように形成されている。同図（ｅ）の構成では、突片が平面長方形の２片の突部からなるように形成されている。同図（ｆ）の構成では、突片が平面横Ｔ字形となるように形成されている。同図（ｇ）（ｈ）の構成では、突片が平面Ｔ字形となるように形成されている。同図（ｉ）の構成では、突片が平面半円錐台形となるように形成されている。同図（ｊ）の構成では、突片が平面横凹形となるように形成されている。図１３の第１部分２１は図１７（ａ），（ｃ），（ｂ）、（ｄ）〜（ｊ）のような形でもよい。
【００４７】
図１８（ａ）〜（ｃ）の構成では、第１部分２１を構成する突片が小径の円柱状となるように形成されている。図１９（ａ）の構成では、円柱状の突片の中心に同図（ｂ），（ｃ）に示すような半球状の凹部、または同図（ｄ），（ｅ）に示すような貫通孔よりなる孔が形成されている。第１部分２１には孔や円錐状などの各種形状の凹部が設けられていてもよい。図２０（ａ）及び（ｂ）の構成では、突片が側面三角形となるように形成されている。図２１（ａ）及び（ｂ）の構成では、突片が側面台形となるように形成されている。図２２（ａ）〜（ｃ）の構成では、一対の突片が固定用口金２０のベース部２０Ｂの半径方向から変位した位置に突出されている。また、第１部分２１を構成する突片の形状の構成は、図２３（ａ）〜（ｅ）に示すように変更することも可能である。図２１の第１部分２１を図２３（ａ）〜（ｅ）のようにしてもよい。図２３（ｄ）の６１は孔あるいは凹部を表している。
【００４８】
次に、溝部２５（図２４（ａ）の網掛け部）あるいは溝部２５を含むベース部２０Ｂについてバリエーションを説明する。実際には、このベース部上に第１部分２１と第２部分２３とが必要に応じて形成されて固定用口金２０を構成する。
【００４９】
図２４（ａ）〜（ｃ）、図２５（ａ）及び（ｂ）の構成では、固定用口金２０の溝部２５を含むベース部２０Ｂが円柱形に描かれている。図２６（ａ）の構成では、ベース部２０Ｂが断面八角となるように形成されている。同図（ｂ）の構成では、円筒形のベース部２０Ｂの外周面に２本の円環状の凹溝２００が間隔をおいて形成されるとともに、それらの間に円形や四角形等の孔２０１が形成されている。なお、凹溝２００は前記溝部２５の機能を果たすものである。同図（ｃ）の構成では、円筒形のベース部２０Ｂの外周面に螺旋状の凹溝２０２が形成されている。
【００５０】
図２７（ａ）及び（ｂ）の構成では、円筒形のベース部２０Ｂの外周面に断面半円状をなす複数本の凹溝２０３が軸線方向に沿って平行に延びるように形成されている。同図（ｃ）の構成では、ベース部２０Ｂの外周面の凹溝２０４が断面円弧状となるように形成されている。同図（ｄ）の構成では、平面２０５が形成されている。平面は２０５１ヶ所でも、複数箇所にあってもよい。
【００５１】
図２８（ａ）（ｂ）の網掛け部は、第２部分２３上を示している。図２９〜図３２は第２部分２３上のバリエーションを示す。実際には、さらに前述した各種形状の第２部分２３下が必要に応じて形成されて固定用口金２０を構成する。
【００５２】
図２９（ａ）〜（ｄ）の構成では、第２部分２３上がベース部２０Ｂの外周面に突設された所定幅のほぼ四角ブロック状をなす４つの突片から構成されている。図３０（ａ）〜（ｄ）の構成では、第２部分２３上を構成する４つの突片のうちで、上下一対の突片が図２９（ａ）〜（ｄ）の突片よりも幅広の四角ブロック状に形成されるとともに、残りの一対の突片が側面三角形状となるように形成されている。図３１（ａ）〜（ｄ）の構成では、４つの突片が側面ほぼ台形となるように形成されている。また、第２部分２３上を構成する突片の形状は、図３２（ａ）〜（ｆ）に示すように変更することも可能である。図２８〜３２の第２部分２３上の形状は第２部分２３下まで同じ形で構成されていてもよい。
【００５３】
図３３（ａ）（ｂ）の網掛け部は、第２部分２３下を示している。図３４〜図３７は第２部分２３下のバリエーションを示す。実際には、図３３（ａ）〜（ｂ）の第２部分２３下の形状が図３３（ｃ）（ｄ）〜図３７の形状に形成され、さらに第２部分２３上が必要に応じて前述した各種形状に形成されて、固定用口金２０を構成する。
【００５４】
図３４の構成では、第２部分２３下の外周の上下左右各面に切欠部としての非円形部２３Ｈが形成されている。この場合、第２部分２３下の形状は、図３５（ａ）〜（ｄ）、図３６（ａ）〜（ｆ），図３７（ａ）〜（ｆ）に示すように変更することも可能である。
【００５５】
また、第２部分２３の全体，上及び下の側面部を、波形状にしたり、鋸歯状にしたり、溝を縦横方向，縦方向，横方向あるいは斜め方向に形成したり、複数の凹部や凸部を形成したり、各種形状に形成することができる。
【００５６】
上述の第１部分２１，溝部２５，ベース部２０Ｂ，第２部分２３上、第２部分２３下の形状は任意に組み合わせることができる。
さらに、図４０には、第１部分２１，第２部分２３，第２部分２３上，第２部分２３下，溝部２５，ベース部２０Ｂに関する前述の各種形状が描かれた図をマトリクスで示している。このマトリクスに並べられた各種形状の図，すなわちマトリクスで示された各種形状あるいはその各種形状から派生した別形状を任意にピックアップして組み合わせれば、例えば、図３８（ａ）〜（ｇ）、図３９（ａ）〜（ｆ）に示すような構成を実現できる。すなわち、図４０には、第１部分２１として５０枠，第２部分２３として１８枠，第２部分２３上として１０枠，第２部分２３下として１８枠，溝部２５として７枠，ベース部２０Ｂとして７枠が列挙され、それらの枠内に実施形態の各例が示されている。そして、これらは、
５０×１０×１８（第２部分下）×７×７＝４４１０００通り・・・（１）
５０×１８（第２部分）×７×７＝４４１００通り・・・・・・・・（２）
従って、この（１）と（２）との合計数の組み合わせが実現される。
【００５７】
そして、第１部分２１として各枠，第２部分２３として各枠，第２部分２３上として各枠，第２部分２３下として各枠，溝部２５として各枠，ベース部２０Ｂとして各枠の内部にそれぞれ列挙された各案は、意匠として観察するとき、全て要部となり得るものである。つまり、第１部分２１をＡ，第２部分２３をＢ，第２部分２３上をＣ，第２部分２３下をＤ，溝部２５をＥ，ベース部２０ＢをＦとした場合、Ａ〜Ｆのうちのひとつを要部としてもよく、あるいは、Ａ〜Ｆのうちの少なくとも２つの任意の組み合わせを要部としてもよい。
【符号の説明】
【００５８】
１０…放電ランプ、２０…固定用口金、２０Ｂ…ベース部、２１…第１部分、２１Ｂ…基準面、２１Ｈ…切欠部、２３…第２部分、２３Ｈ…切欠部としての接合部、２５…溝部、５０…ランプホルダー。
【図１】
2012169230.tif 000003
【図２】
2012169230.tif 000004
【図３】
2012169230.tif 000005
【図４】
2012169230.tif 000006
【図５】
2012169230.tif 000007
【図６】
2012169230.tif 000008
【図７】
2012169230.tif 000009
【図８】
2012169230.tif 000010
【図９】
2012169230.tif 000011
【図１０】
2012169230.tif 000012
【図１１】
2012169230.tif 000013
【図１２】
2012169230.tif 000014
【図１３】
2012169230.tif 000015
【図１４】
2012169230.tif 000016
【図１５】
2012169230.tif 000017
【図１６】
2012169230.tif 000018
【図１７】
2012169230.tif 000019
【図１８】
2012169230.tif 000020
【図１９】
2012169230.tif 000021
【図２０】
2012169230.tif 000022
【図２１】
2012169230.tif 000023
【図２２】
2012169230.tif 000024
【図２３】
2012169230.tif 000025
【図２４】
2012169230.tif 000026
【図２５】
2012169230.tif 000027
【図２６】
2012169230.tif 000028
【図２７】
2012169230.tif 000029
【図２８】
2012169230.tif 000030
【図２９】
2012169230.tif 000031
【図３０】
2012169230.tif 000032
【図３１】
2012169230.tif 000033
【図３２】
2012169230.tif 000034
【図３３】
2012169230.tif 000035
【図３４】
2012169230.tif 000036
【図３５】
2012169230.tif 000037
【図３６】
2012169230.tif 000038
【図３７】
2012169230.tif 000039
【図３８】
2012169230.tif 000040
【図３９】
2012169230.tif 000041
【図４０】
2012169230.tif 000042